(57)【特許請求の範囲】
【請求項１】
大量の硬貨類を搬送可能とした硬貨類の供給装置であって、
キャスターによって移動可能なベース上に立設された主ユニットに、動力駆動手段により往復状に旋回駆動可能なリードネジと、このリードネジと螺合し、このリードネジを部分的に包囲するように形成されたガイドレールに案内される移送子によって構成された斜行状に配備されたリフト手段と、
当該リフト手段により手前位置で低く、前方に向かって揚昇可能とし、前記移送子に一体的に連結されるエレベータ手段と、
当該エレベータ手段に装着され、シャッタの開閉により硬貨を放出する昇降ホッパーによって構成された硬貨類のホッパー手段を具備し、
前記動力駆動手段により前記リフト手段のリードネジを旋回駆動することで前記エレベータ手段に装着されるホッパー手段を揚昇移動可能とした硬貨類の供給装置。
【請求項２】
前記ホッパー手段の昇降ホッパーには貯留槽が設けられるとともに、前記貯留槽には、硬貨袋を載置しうるテーブルを、前記貯留槽の開放頂部を閉止可能となるように回動可能に連結した請求項１記載の硬貨類の供給装置。
【請求項３】
前記昇降ホッパーを担持しうるエレベータ手段には、昇降ホッパーのシャッタを開閉しうる開閉レバーを設けた請求項２記載の硬貨類の供給装置。
【請求項４】
前記エレベータ手段には昇降ホッパーから供給される硬貨類を所要位置へ案内するシュートを水平方向に旋回可能に配設した請求項２又は３のいずれか１項記載の硬貨類の供給装置。
【請求項５】
前記シュートが大径シュート部と、これに嵌挿された小径シュート部とで構成され、伸縮可能とされた請求項４記載の硬貨類の供給装置。
【請求項６】
前記エレベータ手段が、前記移送子に一体的に連結される第１のエレベータ部に対して、水平方向に回動可能に連結された第２のエレベータ部を有し、前記第１のエレベータ部をリフト手段の移送子に連結し、第２のエレベータ部に昇降ホッパーを担持させてなる請求項１乃至３のいずれか１項記載の硬貨類の供給装置。
【発明の詳細な説明】
【０００１】
【発明の属する技術分野】
この発明は、銀行、スーパーもしくは遊技場等において、計数・包装するために多量の硬貨やメダル類（硬貨等）を効率的に供給しうる硬貨等の供給装置の技術分野に属するものである。
【０００２】
【従来の技術】
従来、硬貨計数機もしくはその包装機等に大量の硬貨類を補充する際には、一般に硬貨等を硬貨袋（大袋）に収納して搬送し、所要の硬貨計数機等に大袋から取り出した硬貨類をバラで装填することが汎用されている。
【０００３】
しかしながら、大袋は重量約２０ｋｇであって重量大であり、硬貨計数機等の受容口にまで移送し、又、揚昇するのは作業者に相当の筋力を要求する重労働の作業が必要とされ、公知例１のように硬貨収容体を垂直上昇移送するだけでは十分な作業軽減は計り難いものであった。
【０００４】
この点、実開昭５４−１６５２６０号公報（公知例２）にあっては、供給部に投入されたバラ硬貨を揚昇コンベアによって上昇移送するものであり、作業は軽減されるが、大袋から硬貨類が少量ずつ揚昇されるために供給スピードにおいて比較的に長時間を要するものであった。
【０００５】
この点に改善を試みた従来技術として、実開平７−２９６７４号公報（公知例１）が挙げられる。
【０００６】
この公知例１のものでは、リフト装置により硬貨収容体を動力を利用して上昇させて硬貨投入口に硬貨を供給するものである。
【０００７】
この公知例１によっても、労働力軽減を図ることは出来る。
【０００８】
しかしながら、硬貨収容体は、言わば垂直方向にのみ昇降させるものである。
【０００９】
一方、硬貨計数機等にあっては、通常その硬貨受容口は作業者から遠隔の側に位置していることが多いため、上昇させた後、更に奥側に移動させるため、重労働を必要とするものであった。
【００１０】
【発明が解決しようとする課題】
この発明が意図する解決課題点は、次の通りである。
【００１１】
この発明が解決しようとする第１の課題点は、軽労力で効率的に硬貨類を供給しうる装置を提供することである。
【００１２】
この発明が解決しようとする第２の課題点は、硬貨類の供給位置を自在に変更して、所要の異機種の硬貨類の処理装置に円滑に硬貨類を供給しうる装置を提供することである。
【００１３】
【課題を解決するための手段】
前記の課題を解決するための手段並びに機能は次の如くである。
【００１４】
(1)  大量の硬貨類を搬送可能とした硬貨類の供給装置であって、
キャスターによって移動可能なベース上に立設された主ユニットに、動力駆動手段により往復状に旋回駆動可能なリードネジと、このリードネジと螺合し、このリードネジを部分的に包囲するように形成されたガイドレールに案内される移送子によって構成された斜行状に配備されたリフト手段と、
当該リフト手段により手前位置で低く、前方に向かって揚昇可能とし、前記移送子に一体的に連結されるエレベータ手段と、
当該エレベータ手段に装着され、シャッタの開閉により硬貨を放出する昇降ホッパーによって構成された硬貨類のホッパー手段を具備し、
前記動力駆動手段により前記リフト手段のリードネジを旋回駆動することで前記エレベータ手段に装着されるホッパー手段を揚昇移動可能とした硬貨類の供給装置。
【００１５】
従って、大袋を揚昇させ、前方に移動させて供給する必要が無く、軽労力化を図ることが出来る。
【００１６】
(2)  前記ホッパー手段の昇降ホッパーには貯留槽が設けられるとともに、前記貯留槽には、硬貨袋を載置しうるテーブルを、前記貯留槽の開放頂部を閉止可能となるように回動可能に連結した前記(1)記載の硬貨類の供給装置。
【００１７】
従って、重量の大きい大袋を容易に取り扱うことが出来るものである。
【００１８】
(3)  前記昇降ホッパーを担持しうるエレベータ手段には、昇降ホッパーのシャッタを開閉しうる開閉レバーを設けた前記(2)記載の硬貨類の供給装置。
【００１９】
従って、大量の硬貨等を貯留して揚昇させ、タイミング良く硬貨処理機に供給出来る。
【００２０】
(4)  前記エレベータ手段には昇降ホッパーから供給される硬貨類を所要位置へ案内するシュートを水平方向に旋回可能に配設した前記(2)又は(3)のいずれか１項記載の硬貨類の供給装置。
【００２１】
(5)  前記シュートが大径シュート部と、これに嵌挿された小径シュート部とで構成され、伸縮可能とされた前記(4)  記載の硬貨類の供給装置。
【００２２】
(6)  前記エレベータ手段が、前記移送子に一体的に連結される第１のエレベータ部に対して、水平方向に回動可能に連結された第２のエレベータ部を有し、前記第１のエレベータ部をリフト手段の移送子に連結し、第２のエレベータ部に昇降ホッパーを担持させてなる前記(1)乃至(3)のいずれか１項記載の硬貨類の供給装置。
【００２３】
従って、高さや形状の異なる各種の処理装置に効果的に硬貨等を供給出来る。
【００２４】
【発明の実施の形態】
次に、本発明の内容を図面に示す硬貨装填用の実施の形態に基づいて説明する。
【００２５】
（実施の形態１）
１．手段
(1) 全体構成
図１に示すように、キャスター８０によって、手押式に搬送可能とした硬貨類の供給装置（コインリフタ）１００はベース１０上に竪形状の主ユニット２０を連設し、この主ユニット２０の内面に沿って斜設したリフト手段３０により昇降されるエレベータ手段４０上に、硬貨を貯留して昇降移送する昇降ホッパ５０手段を配設し、シュート４３から図２に示す硬貨計数・包装機等の硬貨処理機ＣＭにホッパ５０手段内の硬貨Ｃを装填可能としている。
【００２６】
(2) 各部の構成
次に、各部の構成並びに機能について説明する。
【００２７】
▲１▼  主ユニット２０
主ユニット２０は、中空状の箱型に形成されており、その内部には、リバーシブルモータ２１を配設し、このリバーシブルモータ２１で駆動される伝動手段２２を介して後述するリフト手段３０に配設したリードネジ３１を往復状に旋回駆動可能に構成しており、このリバーシブルモータ２１の始動、停止、方向変更等については操作スイッチ部７０によってマニュアル操作可能としている。
【００２８】
▲２▼  リフト手段３０
主ユニット２０の側面に沿って斜行状に配備されたリフト手段３０は、図３に示すように前記のリードネジ３１を部分的に包囲するように形成されたガイドレール３２を備えており、このガイドレール３２内に移動可能に配設した移送子３３に、前記のリードネジ３１を螺挿しており、リードネジ３１の旋回運動に呼応して前記の移送子３３がガイドレール３２内を昇降移動されうる構成としている。
【００２９】
▲３▼  エレベータ手段４０
エレベータ手段４０には、前記移送子３３に連結されて一体的に移動しうるエレベータ４１を具備し、後述するホッパー手段５０の昇降ホッパー５１を装着させており、又、昇降ホッパー５１から供給された硬貨Ｃを所要の硬貨処理機ＣＭに装填させるためのシュート４３を少なくとも１８０度程度旋回可能に連設している。
【００３０】
又、このシュート４３は、図４に示すように大径シュート部４３１に小径シュート部４３２を伸縮可能に嵌合させて構成している。
【００３１】
更に、このエレベータ４１上には、後述するホッパー手段５０のシャッタ５２を開閉させるソレノイド４４と、これを操作する操作レバ４５を設けている。
【００３２】
▲４▼  ホッパー手段５０
図４に示すように、昇降ホッパー５１は、大径状の貯留槽５１１と、これに続く導出管５１２とが設けられ、その開放頂部には、硬貨袋ＣＢを載置しうるテーブル５１３を旋回可能に取り付けており、前記したシャッター５２を導出管５１２内に配設させ、必要に応じてシュート４３へ硬貨Ｃを供給させうるように構成したものである。
【００３３】
２．使用方法
このコインリフタ１００の使用手順についてみれば、以下の通りである。
【００３４】
今、例えば、所要の硬貨処理機ＣＭに硬貨Ｃを装填する場合には、図１に示すように、昇降ホッパ５１に連結されたテーブル５１３を時計方向に展開させて水平状に開いて、作業者が硬貨袋ＣＢをその開放口を昇降ホッパ５１方向に指向させてテーブル５１３上に載置する。
【００３５】
次いで、テーブル５１３を反時計方向に旋回させて硬貨袋ＣＢ内の硬貨Ｃを矢印に示すように貯留槽５１１内に一気に注入する。
【００３６】
この場合、シャッター５２は閉じられているので硬貨Ｃは貯留槽５１１内に一旦貯留される。
【００３７】
次いで、操作スイッチ部７０により、リバーシブルモータ２１を始動させてリードネジ３１を旋回させると、移送子３３がガイドレール３２内で斜上方向に揚昇され、移送子３３と連結されたエレベータ４１と共に、昇降ホッパー５１が図１において矢印で示すように斜上方向に揚昇される。
【００３８】
次いで、昇降ホッパー５１が所要の高さ位置に到達すると操作スイッチ部７０によりリバーシブルモータ２１を停止させてエレベータ４１を停止させる。
【００３９】
次に、キャスター８０を利用して、コインリフタ１００を所要の硬貨処理機ＣＭに隣接位置に移動させる。
【００４０】
更に、シュート４３を図１及び図２において、矢印で示すように旋回させ、又、必要に応じては小径シュート部４３２を大径シュート部４３１から出没させて硬貨Ｃの投出位置を図２に示すように硬貨処理機ＣＭの硬貨受領域ＲＣ上に臨ませる。
【００４１】
この状態で開閉操作レバー４５を操作してソレノイド４４によりシャッター５２を開放させると貯留槽５１１内の硬貨Ｃは導出管５１２からシュート４３を経て、硬貨処理機ＣＭ内に装填されることとなる。
【００４２】
又、この装填作業後には、開閉操作レバー４５によりシャッター５２を閉じ、操作スイッチ部７０によりリバーシブルモータ２１を逆転させてエレベータ４１と共に昇降ホッパー５１を図１の矢印に示すように下降させ、原位置に復帰させて次の硬貨Ｃの供給に対して待機させうるものである。
【００４３】
又、尚、搬送中においてテーブル５１３により貯留槽５１１の頂部を閉止しておけば万一の硬貨Ｃの飛散を防止しうるものである。
【００４４】
又、使用手順として、予めコインリフタ１００を所望の硬貨処理機ＣＭに隣接状態に移送する作業を優先させてもよいことは言うまでもないことである。
【００４５】
尚、この実施の形態１において、シャッター５２を単純な手動式とすることによりコストダウンを図ることが出来る。
【００４６】
又、テーブル５１３の旋回動作については、手動で動作させる代わりに動力手段を付加して硬貨袋ＣＢを載置して重量が大となった際に労力を軽減出来るように設計することも出来る。
【００４７】
（実施の形態２）
図５及び図６に示す実施の形態２のコインリフタ１００Ａが実施の形態１のコインリフタ１００と相違している特徴的な点は、エレベータ４１Ａが互いに水平方向に関して回動可能に連結された第１及び第２のエレベータ部４１１Ａ、４１２Ａで構成され、第１のエレベータ部４１１Ａをリフト手段３０Ａの移送子３３Ａに連結させる一方で、第２のエレベータ部４１２Ａに昇降ホッパ５１Ａを担持させた点である。
【００４８】
これによって、比較的遠隔位置に設置された硬貨処理機ＣＭにも容易に硬貨を補給しうるものである。
【００４９】
（実施の形態３）
図７及び図８に示す実施の形態３のコインリフタ１００Ｂが実施の形態１及び２と相違している特徴的な点は、エレベータ３０Ｂ上に昇降ホッパ５１Ｂを担持させ、旋回シュート４３Ｂを水平方向に旋回可能となるように連設した点である。
【００５０】
尚、以上の各実施の形態の説明には、硬貨Ｃを硬貨処理機ＣＭに装填する場合について説明したが、遊技機等に投入するメダルの取扱装置にこれらの装置をそのまま利用出来ることは言うまでもないことであり、その機能も同様であって、この点については図示しての説明は省略する。
【００５１】
【発明の効果】
以上説明したこの発明による効果を挙げると次の如くである。
【００５２】
▲１▼  重量の大きい効果袋を人力で持ち上げ、前方に移動させて装填する必要がなく、硬貨の供給を軽労力でなしうる。
【００５３】
▲２▼  昇降ホッパにより大量の硬貨等を一挙に供給出来る。
【００５４】
▲３▼  旋回シュートを調節して所要位置に硬貨を供給出来るので、形状、大きさ等の異なる各種の硬貨処理機等に効果的に供給することが出来る。
【図面の簡単な説明】
【図１】この発明の実施の形態１の正面図。
【図２】図１の平面略図。
【図３】図１のリフト手段の一部横断面図。
【図４】図１の要部の一部拡大側面図。
【図５】この発明の実施の形態２の側面図。
【図６】図５の平面図。
【図７】この発明の実施の形態３の側面図。
【図８】図７の平面図。
【符号の説明】
１００    硬貨類の供給装置（コインリフタ）
３０      リフト手段
３３      移送子
４０      エレベータ手段
４３      シュート
４５      開閉レバ
５０      ホッパ手段
５１      昇降ホッパ
５１１    貯留槽
５１３    テーブル
ＣＢ      硬貨袋
【図１】
0003701219.tif 000002
【図２】
0003701219.tif 000003
【図３】
0003701219.tif 000004
【図４】
0003701219.tif 000005
【図５】
0003701219.tif 000006
【図６】
0003701219.tif 000007
【図７】
0003701219.tif 000008
【図８】
0003701219.tif 000009